(57)【要約】【課題】 本発明は、ネクタイハンガーに関するものである。従来のネクタイを掛ける道具は、ネクタイが滑り落ちやすい、ハンガー自体が場所を取るなどの欠点がある上、ネクタイの色柄が重なって、自分が使おうとするネクタイのイメージを直観的に掴みにくく、選びにくい難点がある。【解決手段】 そこで本発明は、基板１の上に左右対称の二つのＬ形様の掛止具２を設け、これによってネクタイ４を挟持することを特徴とし、そしてネクタイを結んだ状態に最も近い形状でネクタイを安定的に挟持するため、真正面よりネクタイを直観し、ネクタイのイメージをつかみやすくするものである。本発明のネクタイハンガーは、ただネクタイを収納する機能を有するだけではなく、複数のネクタイを同時に展示・鑑賞することもでき、各家庭や、オフィス、ネクタイ売り場などで幅広く利用できる。【選択図】  図１
2010069183.tif 000002
【特許請求の範囲】
【請求項１】
プラスチックなど適宜合成樹脂材、木材あるいは金属など硬質材料の基板の表面部に、左右対称に設けた一対のＬ形様の掛止具によりネクタイを狭持することを特徴とするネクタイ掛け具。
【請求項２】
請求項１に記載の、対となったＬ形様の掛止具を基板に複数設けることにより、複数のネクタイを挟持することができるネクタイ掛け具。
【発明の詳細な説明】
【技術分野】
【０００１】
本発明は、ネクタイ掛け具本体の基板に左右対称に設けた一対のＬ形様の掛止具を設けて、これによってネクタイを両側から挟む、ネクタイハンガーに関するものである。
【背景技術】
【０００２】
従来から、ネクタイを掛けるための専用のハンガーとして、種々のものが提供されているが、大きく分類すると、主にクリップで挟むか、また二つ折りにし、支軸を用いて平らかに掛ける、二つの方法でされてきた。
【特許文献１】特許公開２００７−１８５４５８
【特許文献２】特許公開２０００−３７２７７
【発明の開示】
【発明が解決しようとする課題】
【０００３】
しかし、従来のようなネクタイを掛ける道具は、ネクタイが滑り落ちやすいことや、ハンガー自体が場所を取るなどの欠点があり、特にこれらのネクタイハンガーの使用時には、ネクタイの色柄が重なって、選別において効率が悪く、自分が使用しようとするネクタイのイメージをつかみにくく、選びにくい不便さがある。本発明は、このような不便を克服することを課題とする。
【課題を解決するための手段】
【０００４】
図１のように、プラスチックなど適宜合成樹脂材、木材あるいは金属などの硬質材料の基板１の表面部にＬ形様の掛止具２を左右対称に設け、それによってネクタイを狭持することを特徴とするネクタイ掛け具。
【０００５】
請求項１に記載の、対となったＬ形様の掛止具２を基板１に複数を設けることにより、複数のネクタイを掛けることができるネクタイ掛け具。
【発明の効果】
【０００６】
本発明により、図２に示した一対の掛止具２を利用してネクタイをネクタイ掛止部に容易に装着でき、しかも装着後は、ネクタイの安定性を保ちながら、ネクタイを結んだ状態に近い形を呈し、よって、これまでの直観的にネクタイを選びにくい点を克服し、一目ですぐ自分のイメージとぴったり合うネクタイを選ぶことができる。このように本発明はネクタイを収納する機能を備えているだけではなく、ネクタイの展示・観賞機能も備えている。
【発明を実施するための最良の形態】
【０００７】
以下、本発明の実施形態を添付図面に基づき詳細に説明する。図1に示されるように、本発明は、プラスチックなど適宜合成樹脂材、木材あるいは金属などの硬質材料の基板１の表面に左右対称に設けたＬ形様の掛止具２によりネクタイを狭持することを特徴とするネクタイ掛け具である。
【０００８】
本発明のネクタイハンガーの基板１の材料は、いろいろと考えられる。木材、金属、プラスチックなど、構造体として適当な任意の材質のものが利用でき、形状、大きさも任意に選定することができる。また図１に示したように基板はフック３と一体的に形成し、フック３を用いて、収納・展示・観賞の場所に掛け止めることもできるが、フック３の代わりにスタンドを設け、このスタンドによって基板の全体を支えることで、展示に便利なスタンド式のネクタイハンガーともすることができるし、あるいは、基板１の裏面に凹状の掛け部を設けて、壁面などに固定されたフック等に掛けるなど、多様な方式により、基板１を収納・展示・観賞用に供することが可能である。
【０００９】
Ｌ形様掛止具２は説明しやすくするため、あえて図３のように点線を用いて二つの部分に分けて見る。即ち支承部分とネクタイを挟持する、基板と平行に設けられた四角柱状の部分である。支承部分の役目は単にＬ形様掛止具の四角柱状部分を支承するものであり、一定の形を要しない柱体で、合理的で頑丈に、かつ美的に設けるようにしてよい。
【００１０】
一方、Ｌ形様掛止具の四角柱部分についてであるが、分かりやすく説明するために、図２においては四角柱状にしている。四角柱の底面２ｂ即ち基板と向かい合う面は、適切な大きさを設け、基板１と平行面を呈し、基板との間隔は図３に示すように、およそ二つ折りしたネクタイを挿通できる寸法である。左右対称に設けたＬ形様掛止具の間隔即ち左右の掛止具の挟持面２ｃ間の幅は約１ｃｍ程度である。つまり掛止具の底辺２ｂを基板面と平行に設けることと、左右対称の掛止具の適宜の間隔を有する条件を満たせればネクタイを図１のように挟持することができる。したがってこの四角柱部分は三角柱にしたり、弓形柱にしたりするなど、形状にバリエーションを持たせることが可能であり、かつ、表面２ａにアクセサリーを付けたりすることも可能である。
【００１１】
以上、本発明の実施形態を説明したが、本発明の範囲は図示例のもの等に限定されることはない。例えば、対となるＬ形様の掛止具２の材質、形状、設置数、設置位置などは、状況に応じて適宜に設けることができる。また左右対称に付けた二つの掛止具の大きさ及びその間隔も適宜自由に設定できる。
【実施例】
【００１２】
本発明のネクタイハンガーは前述のように構成され、次にその使用例について説明する。まず、ネクタイの小剣を掛止具の上より下のほうへ挿通し、左右の掛止具に跨って掛けておく。この場合、表層の大剣の先から掛止具までの長さは大体普通の成人男性のネクタイを結んだ状態の寸法にする。次に、表層のネクタイを掛止具のやや下あたりで親指と人差し指を用いて挟んだ状態で、親指と人差し指を掛止具の上に移動させ、挟まれて細くなっているネクタイの左右の端を、そのまま対となった左右の掛止具の間に挿入する。こうすると掛止具に挿入された部分の上部に隆起した逆三角の形状ができ、この隆起した逆三角の部分が掛止具に挟持されることにより、滑り落ちにくい、安定した状態での収納・展示・観賞が可能である。展示・観賞の対象となる、ネクタイ表層側の大剣の下に長く垂下した下層側の小剣部分が美観を損ねると判断される場合、本体の裏面に小剣掛けを適宜設け、小剣をそれに掛けて、小剣部分を正面から見えなくすることも可能である。
【産業上の利用可能性】
【００１３】
本発明のネクタイハンガーは、ネクタイを簡単且つ確実に装着して収納することができるだけではなく、ネクタイを展示・観賞することもできる利点がある。ネクタイの売り場、オフィス、或いは家庭の中で使用できる。構造的に簡単であり、工業的に量産することが可能であるため、産業上の利用可能性を有する。
【図面の簡単な説明】
【００１４】
【図１】本発明に係るネクタイハンガーの実施状態を示す正面効果図（実施例）
【図２】基板と掛止具の斜視図
【図３】基板と掛止具の底面図
【符号の説明】
【００１５】
１    基板
２    Ｌ形様掛止具（一対）
２ａ  四角柱の表面                                                              ２ｂ  四角柱の底面
２ｃ  四角柱のネクタイを挟持する面                                              ３    フック
４    ネクタイ
【図１】
2010069183.tif 000003
【図２】
2010069183.tif 000004
【図３】
2010069183.tif 000005
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
プラスチックなど適宜合成樹脂材、木材あるいは金属など硬質材料の基板の表面部に、それぞれ独立した一対のＬ字形様のネクタイ掛止具を１センチほどの間隔で左右対称に向かい合った形状にて設け、そこでできた挟持面によってネクタイを安定的かつ美的に挟持することを特徴とするネクタイ掛け具。
【請求項２】
請求項１に記載の、対となったＬ字形様の掛止具を山型状に配置し、左右対称に階段のように基板上に複数設けることにより、複数のネクタイを挟持することができるネクタイ掛け具。